(57)【要約】【課題】  光触媒を用いた空気清浄を従来より更に効率的に行う。【解決手段】  上面部１０ｂに吸気口１１ｂが設けられ、底面部１０ｃに排気口１２が設けられたケース本体１０と、ケース本体１０内に設けられ紫外線を発光するＬＥＤ１９と、表面に光触媒１６ｃを成膜した長尺の金属薄板１６ａをカーリングし多数の微少空間を形成してなり、ケース本体１０内のＬＥＤ１９の周囲に配設される光触媒フィルタカートリッジ１６と、ケース本体１０に吸気口１１ｂから排気口１２への空気流路を形成する送風機１３とを備える。【選択図】  図１
2006026239.tif 000002
【特許請求の範囲】
【請求項１】
一方の側に吸気口が設けられ、この吸気口と略反対の他方の側に排気口が設けられたケース本体と、
上記ケース本体内に設けられ紫外線を発光する光源と、
表面に光触媒を成膜した長尺の薄板をカーリングし多数の微少空間を形成してなり、上記ケース本体内の上記光源の周囲に配設される光触媒フィルタカートリッジと、
上記ケース本体に上記吸気口から上記排気口への空気流路を形成する送風手段とを備える空気清浄機。
【請求項２】
上記吸気口には、集塵フィルタが設けられている請求項１記載の空気清浄機。
【請求項３】
上記ケース本体内において、上記光触媒フィルタカートリッジの外側には、上記光源より発光された光を反射する反射板が設けられている請求項１記載の空気清浄機。
【請求項４】
上記排気口が上記ケース本体の上部に設けられ、上記吸気口が上記ケース本体の下部に設けられ、
上記排気口には、上記ケース本体の上部に設けられた排気部が接続され、
上記排気部には、清浄された空気を放出する複数の放出口が多方向を向いて設けられている請求項１記載の空気清浄機。
【請求項５】
上記吸気口が上記ケース本体の上部に設けられ、上記排気口が上記ケース本体の下部に設けられ、
上記吸気口には、上記ケース本体の上部に設けられた吸気部が接続され、
上記吸気部には、清浄する空気を吸引する複数の吸引口が多方向を向いて設けられている請求項１記載の空気清浄機。
【請求項６】
高さ方向に複数の収納部が設けられた収納装置において、
一の収納部には、空気清浄機が配設され、
上記空気清浄機は、一方の側に吸気口が設けられ、この吸気口と略反対の他方の側に排気口が設けられたケース本体と、上記ケース本体内に設けられ紫外線を発光する光源と、表面に光触媒を成膜した長尺の薄板をカーリングし多数の微少空間を形成してなり、上記ケース本体内の上記光源の周囲に配設される光触媒フィルタカートリッジと、上記ケース本体に上記吸気口から上記排気口への空気流路を形成する送風手段とを備える収納装置。
【請求項７】
上記一の収納部以外の収納部には、電気機器が収納されると共に、上記装置は、更に、課金処理手段を備え、
上記課金処理手段は、上記空気清浄機と上記電気機器の少なくとも一が使用されるとき、課金処理を行う請求項６記載の収納装置。
【発明の詳細な説明】
【技術分野】
【０００１】
本発明は、光触媒を用いた空気清浄機及びこれを用いた収納装置に関する。
【背景技術】
【０００２】
光触媒は、紫外光を吸収することによって、有機物を酸化分解する特性を有することから、脱臭、除菌等の機能を備えた空気清浄機に用いられている。例えば、特許文献１には、光触媒活性を有する溶液を、葉や花、幹等の一部又は全部に塗布させた天然又は人工の観賞用植物が記載されている。
【０００３】
しかしながら、この観葉植物は、葉や花、幹等の一部又は全部に光触媒を塗布したものであるから、葉や花、幹等の周囲の空気を清浄するに過ぎず、広範囲に亘って空気を清浄することはできない。
【０００４】
特許文献２には、光触媒機能を葉や花、枝或いは幹などに保有させた人工植物を植木鉢に設け、該植木鉢に該人工植物へ向けて送風する送風手段を設け、植木鉢に空気を清浄化するための光触媒とこれに紫外線を照射する紫外線光源とからなる浄化手段を設けた空気清浄機が記載されている。この空気清浄機は、植木鉢内に、送風手段を設け、この送風手段の下側に、酸化チタンフィルタと紫外光源とを設けている。そして、植木鉢下部の開口より外気を取り入れ、酸化チタンフィルタを介して浄化された空気を植木鉢上部の人工植物へ導き、人工植物に設けられた通風路より排出するようにしている。
【０００５】
しかしながら、特許文献２の空気清浄機は、ハニカム状の酸化チタンフィルタを送風手段の上側に設けたものであり、送風手段は、酸化チタンフィルタを通過した清浄された空気の他に、植木鉢内部の酸化チタンフィルタを通過していない、すなわち浄化されていない空気も人工植物の通風路に送ってしまう。したがって、この空気清浄機は、効率的に光触媒による空気清浄を行うことができない。
【０００６】
ところで、特許文献３に示すように、病院等では、ベッド等の傍らに、床頭台が設置されることが多い。この床頭台は、高さ方向に複数の収納部が設けられており、患者の荷物を収納することができるようになっている。また、収納部には、テレビジョン受像器、冷蔵庫等の電子機器が収納されている。光触媒は、上述のように、脱臭、除菌等の機能も有するものであるから、患者の周囲の空気を光触媒を用いて脱臭した方が好ましい。しかしながら、このような考え方は、特許文献３には示されていない。
【０００７】
【特許文献１】登録実用新案第３０６８５９８号公報
【特許文献２】特開２００２−６５８２２号公報
【特許文献３】特開２０００−３５０６２４号公報
【発明の開示】
【発明が解決しようとする課題】
【０００８】
本発明は、以上のような問題点に鑑みてなされたものであり、その目的は、空気清浄を従来より更に効率的に行うと共に、清浄された空気を広範に亘って放出することができる空気清浄機を提供することにある。
【０００９】
また、本発明の目的は、複数の収納部の中の一に空気清浄機を設け、周囲の空気清浄を行うことができる収納装置を提供することにある。
【課題を解決するための手段】
【００１０】
本発明に係る空気清浄機は、一方の側に吸気口が設けられ、この吸気口と略反対の他方の側に排気口が設けられたケース本体と、上記ケース本体内に設けられ紫外線を発光する光源と、表面に光触媒を成膜した長尺の薄板をカーリングし多数の微少空間を形成してなり、上記ケース本体内の上記光源の周囲に配設される光触媒フィルタカートリッジと、上記ケース本体に上記吸気口から上記排気口への空気流路を形成する送風手段とを備える。この空気清浄機は、更に上記吸気口に、集塵フィルタを設けるようにしても良い。また、この空気清浄機には、上記ケース本体内において、上記光触媒フィルタの外側に、上記光源より発光された光を反射する反射板を設けるようにしても良い。
【００１１】
この空気清浄機は、第１の例では、上記排気口が上記ケース本体の上部に設けられ、上記吸気口が上記ケース本体の下部に設けられ、上記排気口に、上記ケース本体の上部に設けられた排気部が接続され、上記排気部に、清浄された空気を放出する複数の放出口が多方向を向いて設けられている。第２の例では、上記吸気口が上記ケース本体の上部に設けられ、上記排気口が上記ケース本体の下部に設けられ、上記吸気口に、上記ケース本体の上部に設けられた吸気部が接続され、上記吸気部に、清浄する空気を吸引する複数の吸引口が多方向を向いて設けられている。
【００１２】
また、本発明に係る収納装置は、上述したような空気清浄機を高さ方向に並んだ複数の収納部の一に設けたものである。
【発明の効果】
【００１３】
本発明によれば、ケース本体内に、表面に光触媒を被膜した長尺の薄板をカーリングし多数の微少空間を形成した光触媒フィルタカートリッジを光源の周囲に配設することで、光触媒の面積を大きくすることができると共に、取り込んだ空気を効率よく光触媒フィルタ内に通すことができ、光触媒による空気清浄を効率よく行うことができる。
【発明を実施するための最良の形態】
【００１４】
以下、本発明を適用した空気清浄機を図面を参照して説明する。
【００１５】
図１に示すように、本発明を適用した空気清浄機１は、ケース本体１０を有し、このケース本体１０内に、空気清浄を行うための構成部品が配設されている。具体的に、ケース本体１０は、樹脂材料や金属材料によって、例えば略植木鉢状に形成されている。ケース本体１０は、側面を構成する外壁部１０ａと、上面を閉塞する上面部１０ｂと、底面を閉塞する底面部１０ｃとで構成されている。外壁部１０ａの下側には、外気を吸引するための貫通孔１１ａが形成されていると共に、外壁部１０ａの下側で底上げされた底面部１０ｃには、貫通孔１１ａからの空気を吸引する吸気口１１ｂが形成されている。また、上面部１０ｂには、清浄した空気を排出する排気口１２が形成されている。
【００１６】
なお、ケース本体１０の外形形状は、ケース本体１０に取り付けられる人工植物等を安定して支持できる形状や大きさのものであれば特に限定されるものではなく、従って、例えばプランタのような直方体形状をしていても良い。また、ケース本体１０を更に収納ケースに収納する場合、ケース本体１０の形状は、上述の例にも限定されるものではない。
【００１７】
吸気口１１ｂは、底上げされた底面部１０ｃの略中央部に、下方に向かって立ち上がった筒部１１ｃの先端部に設けられており、不織布等で形成されたケース本体１０内に塵埃が入らないようにするための集塵フィルタカートリッジ１１ｄが設けられている。この集塵フィルタカートリッジ１１ｄには、更に、光触媒を塗布するようにして、集塵機能と光触媒機能を併せ持つ構成としても良い。
【００１８】
ケース本体１０内には、筒部１１ｃの内側に、外気を吸引するための送風機１３が設けられている。ここで、送風機１３としては、大きな風量、例えばＭＡＸ６．５〜７．０ｍ３／ｍｉｎ程度の風量を得ることができるプロペラファンが用いられている。勿論、送風機１３に、シロッコファンを用いるようにしても良い。
【００１９】
ケース本体１０の底面部１０ｃであって筒部１１ｃと連続する開口部１４には、略筒状の光触媒フィルタカートリッジ１６が配設されている。光触媒フィルタカートリッジ１６は、取付部材１７によって、光触媒１６ｃが定着された長尺のカーリングした金属薄板１６ａが保持されることによって構成されている。取付部材１７は、上下一対の固定部１７ａ，１７ｂの間に、略筒状の骨組みが設けられ、この骨組みは、光触媒１６ｃが定着された金属薄板１６ａが所定の厚さに絡まされることにより金属薄板１６ａを保持している。
【００２０】
ここで、光触媒１６ｃが定着された金属薄板１６ａの厚さは、光源から出射された紫外線が透過できる程度に設定されている。これにより、光触媒１６ｃが定着された金属薄板１６ａを透過し後述の反射板２１によって反射された紫外線を、光源とは反対側から光触媒１６ｃが定着された金属薄板１６ａに照射することができる。更に、金属薄板１６ａは、取付部材１７の上部及び／又は下部にも設けるようにしても良い。
【００２１】
金属薄板１６ａは、カーリングされ、更に、ランダムに絡み合うことで、図２及び図３に示すように錯体状に形成され、内部に多数の微少空間を有したスチールたわしのように形成されている。更に具体的に、光触媒フィルタカートリッジ１６を構成する長尺の金属薄板１６ａは、例えばステンレスリボンであり、更に具体的には、ＳＵＳ３０４Ｃを用いた厚さ略０．０４ｍｍ、幅０．８ｍｍの長尺の金属薄板が用いられている。
【００２２】
図４は、金属薄板１６ａの拡大斜視図であり、図５は、その断面図である。金属薄板１６ａは、表面に微小な凹部１６ｂが複数形成されており、金属薄板１６ａの表面には、光触媒１６ｃが凹部１６ｂに保持されて定着されている。具体的に、光触媒１６ｃは、酸化チタンであり、１μｍ程度の厚さに形成されている。ここで特に酸化チタンを用いるのは、従来脱臭等に用いられている活性炭と異なり臭い成分を吸着するものではなく、分解するものであるから、活性炭の場合のように交換が不要となるためである。この金属薄板１６ａには、光触媒１６ｃとして酸化チタンが定着されていることから、光触媒１６ｃが定着された表面積、すなわち、有機物が接触し反応する領域を大きくすることができる。なお、光触媒１６ｃが定着された金属薄板１６ａとしては、例えばＮＫフィルタ（株式会社コーヨ−テック製）がある。
【００２３】
図３に示すように、光触媒１６ｃが定着された金属薄板１６ａは、カーリングされ、更に、ランダムに絡み合い、スチールたわしのように形成されていることから、取付部材１７の骨組みにも容易に絡ませることができる。そして、光触媒１６ｃが定着された金属薄板１６ａは、取付部材１７の骨組みに保持されることで、ケース本体１０の底面部１０ｃの開口部１４上に略筒状をなすように配設される。すなわち、光触媒フィルタカートリッジ１６は、内部の略筒状の中空部がケース本体１０の吸気口１１ｂと直列に並び、吸気した外気を、中空部に効率よく流入させることができるようにしている。
【００２４】
光触媒フィルタカートリッジ１６は、取付部材１７の一方の固定部１７ａをケース本体１０の底面部１０ｃに固定し、他方の固定部１７ｂに風向制御板１８が取り付けられる。具体的に、風向制御板１８は、取付部材１７に略筒状に取り付けられた金属薄板１６ａの上面を略閉塞するようにして取り付けられる。ケース本体１０の底面部１０ｃの開口部１４には、送風機１３が配設され、吸気口１１ｂから吸気された空気は、ケース本体１０内を上面部１０ｂに向かって流れる。風向制御板１８は、送風機１３で吸気された空気が当たることで、風向が周囲の光触媒１６ｃが定着された金属薄板１６ａが配設されている方向に変わるようする。光触媒フィルタカートリッジ１６は、カーリングした金属薄板１６ａを絡ませて構成され、内部に多数の微小空間が形成され、ここを風向制御板１８で風向の変えられた空気流が通過するとき、塵埃を絡ませ保持することができる。すなわち、光触媒フィルタカートリッジ１６は、塵埃フィルタとしても機能する。塵埃フィルタとしても機能することができる光触媒フィルタカートリッジ１６は、ケース本体１０より取り出して水洗い等により洗浄することができる。
【００２５】
なお、光触媒１６ｃとしては、酸化チタンの他、ＺｎＯ、ＫＴａＯ３、ＣｄＳ、ＣｄＳｅ、［Ｒｕ（ｂｐｙ）３］２＋やＣｏ錯体等であっても良い。また、金属薄板１６ａとしては、カーリングでき、更に、耐酸性、耐蝕性に優れたものであれば、ステンレスの他、銅や鉄等であっても良い。更に、光触媒１６ｃが定着される基材は、金属薄板１６ａの他に、ポリプロピレン等の樹脂材料、ガラス等であってもよい。
【００２６】
光触媒フィルタカートリッジ１６の内側には、図１に示すように、光源として、ＬＥＤ（Light Emitting Diode）１９が配設されている。ＬＥＤ１９は、風向制御板１８の略中央部に取り付けられた取付軸１９ａにリード線１９ｂを巻き付けることによって、光触媒フィルタカートリッジ１６の内側から光触媒１６ｃが定着された金属薄板１６ａに紫外線を照射できるように保持されている。このＬＥＤ１９は、光触媒１６ｃが反応する波長が３００ｎｍ〜４００ｎｍ程度の紫外線を発光する。なお、光源としては、ＬＥＤの他に、蛍光灯型、陰極線型等の紫外線発生器も適用可能であるが、ここでは、高寿命、省電力で安価なＬＥＤを用いるようにしている。光触媒１６ｃは、紫外線量に比例して強反応をしない。したがって、ＬＥＤ１９の数は、光触媒フィルタカートリッジ１６の光触媒１６ｃが定着された金属薄板１６ａの量に応じて決められる。
【００２７】
上述した光触媒フィルタカートリッジ１６の金属薄板１６ａは、光触媒１６ｃである酸化チタンを定着させたものであるから、金属光沢を有し、照射された紫外線を更に乱反射することができる。したがって、光触媒フィルタカートリッジ１６は、カーリングした金属薄板１６ａを絡ませて構成された金属錯体の多数の微小空間を介して内部の光触媒１６ｃにも紫外線を照射することができる。
【００２８】
また、光触媒フィルタカートリッジ１６の外側には、図１に示すように、光触媒フィルタカートリッジ１６を通過した紫外線を反射する反射板２１が設けられている。この反射板２１は、紫外線が光触媒フィルタカートリッジ１６を介してケース本体１０の内面に間で達したとき、更に、この紫外線を光触媒フィルタカートリッジ１６側に反射して、反射した紫外線を光触媒フィルタカートリッジ１６の光触媒１６ｃに照射する。これによって、光触媒１６ｃの反応を更に効果的にすることができる。この反射板２１は、例えば受けた光を９９．９９％反射する高反射率のミラーであり、例えばアラノイド社製のアルミ反射板が用いられる。なお、底面部１０ｃの内面や上面部１０ｂの内面にも、紫反射板２１を設けるようにしても良い。
【００２９】
なお、光触媒フィルタカートリッジ１６を構成する取付部材１７もアルミニウム等の金属光沢を有する材料で形成し、反射板として機能させるようにしても良い。
【００３０】
以上のような光触媒フィルタカートリッジ１６では、ＬＥＤ１９から出射された紫外線、反射板２１で反射された紫外線、更に、カーリングした金属薄板１６ａを絡ませて構成された多数の微小空間で乱反射した紫外線により、効率よく光触媒１６ｃを反応させることができる。そして、光触媒フィルタカートリッジ１６は、紫外線が照射されることによって、たばこ、ペット、アンモニア等の臭い元となる元素を分解して消臭することができる他、大腸菌、黄色ブドウ球菌等の細菌類やウィルスに対する抗菌、抗ウィルス効果、防汚効果や防かび効果を持たせることができ、更に、ホルムアルデヒド、ダイオキシン等の有機物を分解、除去することができる。
【００３１】
以上のように構成されてなるケース本体１０は、ＬＥＤ１９を点灯することによって、光触媒フィルタカートリッジ１６を構成する金属薄板１６ａの全体に紫外線が照射される。すなわち、錯体状の金属薄板１６ａは、ＬＥＤ１９から出射された紫外線、反射板２１で反射された紫外線、更に、カーリングした金属薄板１６ａを絡ませて構成された多数の微小空間で乱反射した紫外線が照射される。そして、送風機１３が駆動すると、図１中矢印で示すように、外気は、ケース本体１０の下側の吸気口１１ｂより吸引され、集塵フィルタカートリッジ１１ｄで集塵された後、光触媒フィルタカートリッジ１６内に流入し、風向制御板１８によって風向が外側に変えられた後、光触媒１６ｃが定着された金属薄板１６ａを通過し、ケース本体１０の上側の排気口１２より排気される。光触媒フィルタカートリッジ１６では、吸気口１１ｂより吸引した外気に含まれる塵埃等を除去することができると共に、光触媒１６ｃに外気に含まれる有機物が接触することにより、脱臭等を行うこともできる。そして、排気口１２より排気される空気清浄された空気は、更に、ケース本体１０の上側に配設される排気部３０より多方向に排気される。
【００３２】
なお、ケース本体１０は、送風機１３の送風方向を切り換える切換スイッチを設け、送風機１３の回転方向を切り換えることができるようにし、下側の吸気口１１ｂから外気を吸気し上側の排気口１２から空気清浄された空気を排気する他に、上側の排気口１２から吸気して下側の吸気口１１ｂから排気できるようにしても良い。この場合、排気口１２が吸気口にもなることから、排気口１２に集塵フィルタカートリッジを設けるようにしても良い。
【００３３】
ところで、ここで用いる排気部３０は、空気清浄機１が設置される設置場所環境に違和感なく設置できるように、交換可能であり、ぬいぐるみ等様々なもので構成することができるが、ここでは、図６に示すように、ポトス等の人工植物が巻き付けられる支柱３１ａ〜３１ｄを用いている。この支柱３１ａ〜３１ｄは、束ねられた状態で排気口１２に接続されている。それぞれの支柱３１ａ〜３１ｄは、内部が中空であり、先端側に、清浄された空気の放出口３２ａ，３２ｂが設けられている。具体的に、放出口３２ａは、各支柱３１ａ〜３１ｄの頂面に設けられ、放出口３２ｂは、各支柱３１ａ〜３１ｄの先端側側面に設けられている。
【００３４】
各支柱３１ａ〜３１ｄは、高さが異なるように形成されており、様々な高さに空気清浄された空気を放出口３２ａ，３２ｂより放出することができるようになっている。また、最も高い支柱３１ａは、頂面が平坦に形成され、他の支柱３１ｂ〜３１ｄの頂面は、傾斜面となるように形成され、それぞれ異なる方向を向いている。このように、支柱３１ａ〜３１ｄは、頂面を異なる方向を向かせるように形成することで、頂面に形成された放出口３２ａより様々な方向に空気清浄された空気を放出することができるようにしている。更に、各支柱３１ａ〜３１ｄの先端側側面に形成された放出口３２ｂも、一方向のみでなく多方向に設けられ、様々な方向に空気清浄された空気を放出することができるようにしている。
【００３５】
なお、放出口としては、支柱３１ａ〜３１ｄの頂面に設けられた放出口３２ａのみでも良く、また、支柱３１ａ〜３１ｄの先端側側面の放出口３２ｂのみであっても良い。また、支柱３１ａ〜３１ｄに絡まされるポトス等の植栽に、光触媒を塗布するようにしても良い。
【００３６】
次に、本発明を適用した空気清浄機１の他の例を図７及び図８を参照して説明する。上述した空気清浄機１が下側の吸気口１１ｂから吸気した空気を上側の排気部３０より排気するものであったが、ここで説明する空気清浄機４０は、上側から空気を吸引し、下側から排気するものである。なお、空気清浄機４０に関し、上述した空気清浄機１と同一の部材については同一符号を付して詳細は省略する。
【００３７】
空気清浄機４０は、ケース本体５０を有し、このケース本体５０内に、空気清浄を行うための構成部品が配設されている。具体的に、ケース本体５０は、樹脂材料や金属材料によって、例えば略植木鉢状に形成されている。ケース本体５０は、側面を構成する外壁部５０ａと、上面を閉塞する上面部５０ｂと、底面を閉塞する底面部５０ｃとで構成されている。外壁部５０ａの下側には、外気を放出するための貫通孔５１ａが形成されていると共に、外壁部５０ａの下側で底上げされた底面部５０ｃには、貫通孔５１ａからの空気を排気する排気口５１ｂが形成されている。また、上面部５０ｂには、外気を吸気する吸気口５２が形成されている。なお、ケース本体５０の外形形状は、ケース本体５０に取り付けられる人工植物等を安定して支持できる形状や大きさのものであれば特に限定されるものではなく、従って、例えばプランタのような直方体形状をしていても良い。
【００３８】
具体的に、排気口５１ｂは、底上げされた底面部５０ｃの略中央部に、下方に向かって立ち上がった筒部５１ｃの先端部に設けられている。そして、この筒部５１ｃには、外気を吸引するための送風機１３が設けられている。また、吸気口５２の周囲には、係合片５２ａが設けられており、係合片５２ａには、集塵フィルタカートリッジ１１ｄが係合保持されている。
【００３９】
このケース本体５０内には、底面部５０ｃの筒部５１ｃの上方に位置するようにして、光触媒フィルタカートリッジ１６が配設されている。この光触媒フィルタカートリッジ１６は、上述のように、取付部材１７によって、光触媒１６ｃが定着された長尺のカーリングした金属薄板１６ａが略筒状をなすように保持されることによって構成されている。そして、ここでは、取付部材１７の下側に位置する固定部１７ａには、上述の風向制御板１８が取り付けられる。この風向制御板１８には、ケース本体５０の内側に、上述したＬＥＤ１９を取り付けるための取付軸１９ａが設けられ、外側に、脚部５３が設けられている。風向制御板１８に固定された脚部５３は、ケース本体５０の底面部５０ｃに固定され、風向制御板１８を底面部５０ｃと離間させて光触媒フィルタカートリッジ１６をケース本体５０内で支持する。
【００４０】
ここで、光触媒フィルタカートリッジ１６は、内部の略筒状の中空部がケース本体５０の吸気口５２と直列に並ぶように配設され、吸気した外気が、光触媒フィルタカートリッジ１６内の中空部に効率よく流入することができるようになっている。なお、このケース本体５０にも、光触媒フィルタカートリッジ１６の外側に反射板２１が設けられている。
【００４１】
以上のようなケース本体５０は、ＬＥＤ１９を点灯することによって、光触媒フィルタカートリッジ１６を構成する金属薄板１６ａの全体に紫外線が照射される。すなわち、錯体状の金属薄板１６ａは、ＬＥＤ１９から出射された紫外線、反射板２１で反射された紫外線、更に、カーリングした金属薄板１６ａを絡ませて構成された多数の微小空間で乱反射した紫外線が照射される。そして、送風機１３が駆動すると、図７中矢印で示すように、外気は、上側の吸気口５２より吸引され、集塵フィルタカートリッジ１１ｄで集塵された後、光触媒フィルタカートリッジ１６内に流入し、風向制御板１８によって風向が外側に変えられた後、光触媒１６ｃが定着された金属薄板１６ａを通過し、下側の排気口５１ｂより排気される。ここで、空気清浄する空気は、ケース本体５０の上側に配設される吸気部６０によって多方向の外気が吸気される。
【００４２】
なお、ケース本体５０は、送風機１３の送風方向を切り換える切換スイッチを設け、送風機１３の回転方向を切り換えることができるようにし、上側の吸気口５２から外気を吸気し下側の排気口５１ｂから空気清浄された空気を排気する他に、下側の排気口５１ｂから吸気して上側の吸気口５２から排気できるようにしても良い。この場合、排気口５１ｂが吸気口にもなることから、排気口５１ｂに集塵フィルタカートリッジを設けるようにしても良い。
【００４３】
ところで、ここで用いる吸気部６０は、空気清浄機４０が設置される設置場所環境に違和感なく設置できるように、交換可能であり、ぬいぐるみ等様々なもので構成することができるが、ここでは、図８に示すように、ポトス等の人工植物が巻き付けられる支柱６１ａ〜６１ｄを用いている。この支柱６１ａ〜６１ｄは、束ねられた状態で吸気口５２に接続されている。それぞれの支柱６１ａ〜６１ｄは、内部が中空であり、先端側に、外気を吸引する吸引口６２が設けられている。具体的に、吸引口６２は、各支柱６１ａ〜６１ｄの頂面に設けられている。
【００４４】
各支柱６１ａ〜６１ｄは、高さが異なるように形成されており、様々な高さに空気清浄された外気を吸引口６２より吸引することができるようになっている。また、最も高い支柱６１ａは、頂面が平坦に形成され、他の支柱６１ｂ〜６１ｄの頂面は、傾斜面となるように形成され、それぞれ異なる方向を向いている。このように、支柱６１ａ〜６１ｄは、頂面を異なる方向を向かせるように形成することで、頂面に形成された吸引口６２より様々な方向の外気を吸引することができるようにしている。
【００４５】
なお、各支柱６１ａ〜６１ｄの先端側側面にも、上記図６に示した放出口３２ｂのように、更なる吸引口６２ｂを設け、様々な方向から外気を吸引することができるようにしても良い。また、支柱６１ａ〜６１ｄに絡まされるポトス等の植栽に、光触媒を塗布するようにしても良い。
【００４６】
なお、本発明を適用した空気清浄機１，４０は、家庭用の他に、オフィス、ゲームセンタ、レストラン、パチンコ店、カラオケ店、スナック、パブ等に業務用として設置することもできる。空気清浄機１の排気部３０や空気清浄機４０の吸気部６０は、設置される場所に応じて交換することができ、設置場所に違和感無く設置することができる。また、空気清浄機１，４０は、遠隔操作装置を用いて、送風機１３やＬＥＤのオンオフ、更に、送風機１３の風量等を切り換えることができるようにしても良い。
【００４７】
本発明を適用した空気清浄機は、例えば図９に示すように、病院等のベッドの傍らに設置される床頭台７０に設置することができる。この床頭台７０は、第１乃至第４の収納部７１〜７４が高さ方向に直列的に設けられている。
【００４８】
第１の収納部７１は、最上段の収納部であり、この第１の収納部７１には、本発明を適用した空気清浄機７１ａが設置される。この第１の収納部７１は、床頭台７０の最上段であり、入院患者等にとって使い勝手の悪い場所でもある。そこで、本発明を適用した床頭台７０では、この最上段の第１の収納部７１に物の出し入れ等の作業を必要としない本発明を適用した空気清浄機７１ａを設置するようにしている。
【００４９】
ここで、空気清浄機７１ａは、上述した空気清浄機１，４０と同様の構成を有するものである。すなわち、第１の収納部７１に収納される空気清浄機７１ａは、図１に示すように、ケース本体１０の下側に吸気口１１ｂが設けられ上側に排気口１２が設けられ、ケース本体１０の内部に光触媒フィルタカートリッジ１６が設けられると共に光触媒フィルタカートリッジ１６の中央に光源となるＬＥＤ１９が設けられ、ケース本体１０の下側から外気を取り込み、ケース本体１０の上側から空気清浄された空気を排気する上述した空気清浄機１と同等の装置である。また、第１の収納部７１に収納される空気清浄機７１ａは、図７に示すように、ケース本体５０の上側に吸気口５２が設けられ下側に排気口５１ｂが設けられ、ケース本体５０の内部に光触媒フィルタカートリッジ１６が設けられると共に光触媒フィルタカートリッジ１６の中央に光源となるＬＥＤ１９が設けられ、ケース本体５０の上側から外気を取り込み、ケース本体５０の下側から空気清浄された空気を排気する上述した空気清浄４０と同等の装置である。そして、空気清浄機７１ａは、ケース本体１０，５０を鉢等の通気性の収納体に収納し、上部に植栽を設けて構成されている。
【００５０】
このような空気清浄機７１ａによれば、ケース本体１０，５０内に、表面に光触媒１６ｃを定着した長尺の金属薄板１６ａをカーリングし多数の微少空間を形成した光触媒フィルタカートリッジ１６をＬＥＤ１９の周囲に配設することで、光触媒１６ｃの面積を大きくすることができると共に、取り込んだ空気を効率よく光触媒フィルタ内に通すことができ、光触媒による空気清浄を効率よく行うことができる。そして、空気清浄機７１ａによって、床頭台７０の周囲の空気を清浄することができる。
【００５１】
第２の収納部７２は、上から２段目に設けられるものであり、ここには、例えばテレビジョン受像器７２ａが収納される。更に、第３の収納部７３は、第２の収納部７２の下段に設けられるものであり、引出７３ａが設けられている。この引出７３ａは、ロック機構７３ｂが設けられており、セーフティーボックスとなっている。第４の収納部７４は、内部に、冷蔵庫７４ａが収納され、前面に開閉扉７４ｂが設けられている。
【００５２】
更に、第２の収納部７２に収納されたテレビジョン受像器７２ａには、課金処理部７５が設けられている。この課金処理部７５は、プリペイドカード７５ａが挿入されることによって課金処理を行う。図１０に示すように、この課金処理部７５には、バス７６を介して電気機器である空気清浄機７１ａ、テレビジョン受像器７２ａ、ロック機構７３ｂ及び冷蔵庫７４ａが電気的に接続されている。なお、課金処理部７５を設ける位置は、テレビジョン受像器７２ｂに限定されるものではない。
【００５３】
課金処理部７５は、タイマを内蔵しており、第１の収納部７１の空気清浄機７１ａの使用時間、第２の収納部７２のテレビジョン受像器７２ａの使用時間、第４の収納部７４の冷蔵庫７４ａの使用時間を計時し、これらの機器の使用時間に応じて課金する課金データを算出する。また、課金処理部７５は、第３の収納部７１の引出７３ａに設けられたロック機構７３ｂのロックの有無を検出し、課金する課金データを算出する。そして、課金処理部７５は、挿入されたプリペイドカード７５ａの残金データを読み出し、空気清浄機７１ａ、テレビジョン受像器７２ａ、ロック機構７３ｂ及び冷蔵庫７４ａの使用に応じた課金データを減算し、プリペイドカード７５ａに記録されている残金データを更新する。また、課金処理部７５には、その外筐に、空気清浄機７１ａ、テレビジョン受像器７２ａ、及び冷蔵庫７４ａを使用するための電源ボタンやこれらの機器の使用時間を表示する表示部やプリペイドカード７５ａの残金を表示する表示部で構成された操作部７５ｂが設けられている。なお、空気清浄機７１ａ、テレビジョン受像器７２ａ及び冷蔵庫７４ａを使用するためのオンオフの切り換え、空気清浄機７１ａの風量調整、テレビジョン受像器７２ａのチャンネル切換等の機能選択は、遠隔操作装置を用いて行うこともできる。
【００５４】
以上のような床頭台７０では、使い勝手の悪い最上段の第１の収納部７１に、出し入れを行うこと無い空気清浄機７１ａを設置するようにしたので、収納効率の低下をさほど招くこと無く、周囲の空気清浄を行うことができる。特に、第１の収納部７１に収納される空気清浄機７１ａは、ケース本体１０，５０内に、表面に光触媒１６ｃを定着した長尺の金属薄板１６ａをカーリングし多数の微少空間を形成した光触媒フィルタカートリッジ１６をＬＥＤ１９の周囲に配設することで、光触媒１６ｃの面積を大きくすることができると共に、取り込んだ空気を効率よく光触媒フィルタ内に通すことができ、光触媒による空気清浄を効率よく行うことができる。また、床頭台７０では、課金処理部７５が設けられていることから、空気清浄機７１ａの使用量に応じて課金処理を行うこともできる。
【００５５】
なお、課金処理部７５は、空気清浄機７１ａ、テレビジョン受像器７２ａ、ロック機構７３ｂ、冷蔵庫７４ａの何れかの使用に対して課金処理を行うようにしても良く、また、床頭台７０に更なる電話機、テレビゲーム機等の電気機器がバス７６を介して接続されたとき、更なる電気機器についても課金処理を行うようにしても良い。また、以上、収納部が４段設けられた床頭台７０を例に説明したが、本発明は、収納部の数は特に限定されるものではなく、また、空気清浄機の設ける位置を次に説明するように最上段の収納部以外としても良い。
【００５６】
更に、図１１及び図１２を参照して本発明を適用した床頭台８０について説明する。この床頭台８０は、最上段の第１の収納部８１を構成する第１の支持板８１ａが設けられ、この第１の収納部８１の下側にテレビジョン受像器７２ａが設置される第２の収納部８２が設けられている。第１の収納部８１は、上述の床頭台７０では空気清浄機７１ａを設置していたが、ここでは、通常の物置台のようにして用いられる。なお、第２の収納部８２の下側には、上述の床頭台７０と同様に、引出７３ａが収納される第３の収納部７３、冷蔵庫７４ａが収納される第４の収納部７４が設けられている。
【００５７】
第１の収納部７１を構成する支持板８１ａには、下側に隣接して第５の収納部８３が設けられている。この第５の収納部８３は、本発明を適用した空気清浄機８４が収納される空間であり、第１の支持板８１ａと離間し平行に第２の支持板８３ａが設けられている。
【００５８】
ここで、第５の収納部８３に収納される空気清浄機８４について説明すると、この空気清浄機８４は、ケース本体８４ａを有する。このケース本体８５には、床頭台８０の前面側となる前面側となる前面８５ａに吸気口８６が設けられ、床頭台８０の背面側の背面８５ｂに、排気口８７が設けられている。更に、ケース本体８５の底面８５ｃの背面側にも排気口８８が設けられている。吸気口８６には、不織布等で形成されたケース本体１０内に塵埃が入らないようにするための集塵フィルタカートリッジ１１ｄと同様の集塵フィルタカートリッジ８９が設けられている。また、集塵フィルタカートリッジ８９の内側には、外気を吸引するための送風機１３と同様な送風機９１が設けられている。なお、ケース本体８５の前面８５ａには、操作部が設けられている。
【００５９】
ケース本体８４ａには、更に、光触媒フィルタカートリッジ９２が設けられている。この光触媒フィルタカートリッジ９２は、図２乃至図６に示した上述した光触媒フィルタカートリッジ１６で使用した金属薄板１６ａを用いるものであって、光触媒１６ｃが定着された長尺のカーリングした金属薄板１６ａが図示しない取付部材の骨組みに絡ませるようにして保持されて構成されている。この光触媒フィルタカートリッジ９２は、フィルタ部９２ａが３つ設けられており、これらが互いに平行に離間するして設けられている。
【００６０】
フィルタ部９２ａの間及び前面８５ａ側のフィルタ部９２ａの外側には、上述したＬＥＤ１９と同様のＬＥＤ９３が設けられている。また、ケース本体８５の内面には、光触媒フィルタカートリッジ９２を通過した紫外線を反射する反射板２１と同様な機能の反射板９４が設けられている。この反射板９４は、紫外線が光触媒フィルタカートリッジ９２を介して又は直接ケース本体８５の内面に間で達したとき、更に、この紫外線を光触媒フィルタカートリッジ９２側に反射して、反射した紫外線を光触媒フィルタカートリッジ９２の光触媒１６ｃに照射する。これによって、光触媒１６ｃの反応を更に効果的にすることができる。
【００６１】
以上のように構成されてなるケース本体８５は、ＬＥＤ９３を点灯することによって、光触媒フィルタカートリッジ８９を構成する金属薄板１６ａの全体に紫外線が照射される。すなわち、錯体状の金属薄板１６ａは、ＬＥＤ９３から出射された紫外線、反射板９４で反射された紫外線、更に、カーリングした金属薄板１６ａを絡ませて構成された多数の微小空間で乱反射した紫外線が照射される。そして、送風機９１が駆動すると、図１１及び図１２中矢印で示すように、外気は、ケース本体８５の前面８５ａの吸気口８６より吸引され、集塵フィルタカートリッジ８９で集塵された後、光触媒フィルタカートリッジ９２内に流入し、光触媒１６ｃが定着された金属薄板１６ａを通過し、ケース本体８５の排気口８７，８８より排気される。光触媒フィルタカートリッジ９２では、吸気口８６より吸引した外気に含まれる塵埃等を除去することができると共に、光触媒１６ｃに外気に含まれる有機物が接触することにより、脱臭等を行うこともできる。そして、排気口８７，８８より排気される空気清浄された空気は、床頭台８０の背面壁８０ａに排気口８７に対応して設けられた通気孔８０ｂや第１の支持板８１ａの背面側に排気口８８に対応して設けられた通気孔８０ｃを介して排気される。
【００６２】
なお、この床頭台８０にも、上述した床頭台７０と同様に、各電気機器をバスを介して接続し使用に応じた課金処理を行うようにしても良い。また、床頭台８０において、空気清浄機８４が外気を吸気するための吸気口８６の位置や清浄した空気を排気する排気口８７，８８、更に排気口８７，８８に対応して設けられた通気孔８０ｂ，８０ｃの位置は、上述の例に特に限定されるものではなく、吸気口８６の位置に対して排気口８７，８８が略反対側の位置に設けられるようにすれば特に限定されるものではない。
【００６３】
また、床頭台８０では、第２の収納部８２や冷蔵庫７４ａが収納されるべき第４の収納部７４に設けるようにしても良い。例えば、第４の収納部７４のように大きな収納部に空気清浄機を設けたときには、同一側面の上側と下側に吸気口と排気口を設けるようにしても良い。また、本発明の収納装置は床頭台に限定されるものでもない。
【図面の簡単な説明】
【００６４】
【図１】下側から吸気して上側から排気する空気清浄機のケース本体の内部構造を示す断面図である。
【図２】光触媒フィルタを構成する金属薄板の斜視図である。
【図３】ケース本体内に配設される光触媒フィルタの斜視図である。
【図４】光触媒フィルタの拡大斜視図である。
【図５】光触媒フィルタの拡大断面図である。
【図６】図１に示す空気清浄機の断面図である。
【図７】上側から吸気して下側から排気する空気清浄機のケース本体の内部構造を示す断面図である。
【図８】図７に示す空気清浄機の断面図である。
【図９】空気清浄機を最上段に設けた床頭台の斜視図である。
【図１０】図９に示す床頭台のブロック図である。
【図１１】床頭台の変形例を示す斜視図である。
【図１２】図１１に示した床頭台の断面図である。
【符号の説明】
【００６５】
１，４０  空気清浄機、１０，５０  ケース本体、１１ａ，５１ａ  貫通孔、１１ｂ，５２  吸気口、１１ｄ  集塵フィルタカートリッジ、１２，５１ｂ  排気口、１３  送風機、１６  光触媒フィルタカートリッジ、１６ａ  金属薄板、１６ｂ  凹部、１６ｃ  光触媒、１７  取付部材、１８  風向制御板、１９  ＬＥＤ、２１  反射板、３０  排気部、６０  吸気部、７０  床頭台、７１  第１の収納部、７１ａ  空気清浄機、７２  第２の収納部、７２ａ  テレビジョン受像器、７３  第３の収納部、７３ａ  引出、７３ｂ  ロック機構、７４  第４の収納部、７４ａ  冷蔵庫、７５  課金処理部、７５ａ  プリペイドカード
【図１】
2006026239.tif 000003
【図２】
2006026239.tif 000004
【図３】
2006026239.tif 000005
【図４】
2006026239.tif 000006
【図５】
2006026239.tif 000007
【図６】
2006026239.tif 000008
【図７】
2006026239.tif 000009
【図８】
2006026239.tif 000010
【図９】
2006026239.tif 000011
【図１０】
2006026239.tif 000012
【図１１】
2006026239.tif 000013
【図１２】
2006026239.tif 000014